(57)【要約】【課題】  セクターの割り位置を適正化することでオーバーフロー故障を防止すると共に、その割り位置を適正化する際の加工を容易にしたタイヤ用金型及びその製造方法を提供する。【解決手段】  空気入りタイヤのトレッド部と両ショルダー部を一体的に成形する複数のセクター５を備えたタイヤ用金型において、隣り合う一対のセクター５Ａ，５Ｂのうち、一方のセクター５Ａの端面５５Ａにトレッド成形面５１の一部を構成するピース６を装着し、他方のセクター５Ｂの端面５５Ｂにピース６に整合する欠落部７を形成し、ピース６の装着により一対のセクター５Ａ，５Ｂの割り位置をスラント溝成形骨５４で成形されるタイヤ幅方向の延長成分を有する溝を避けた位置に変更する。【選択図】  図２
2005178121.tif 000002
【特許請求の範囲】
【請求項１】
空気入りタイヤのトレッド部と両ショルダー部を一体的に成形する複数のセクターを備えたタイヤ用金型において、隣り合う一対のセクターのうち、一方のセクターの端面にトレッド成形面の一部を構成するピースを装着し、他方のセクターの端面に前記ピースに整合する欠落部を形成し、前記ピースの装着により前記一対のセクターの割り位置をタイヤ幅方向の延長成分を有する溝を避けた位置に変更したタイヤ用金型。
【請求項２】
前記ピースの前記欠落部との接触面が曲面を含む形状を有する請求項１に記載のタイヤ用金型。
【請求項３】
前記ピースをボルト締め、溶接又は接着によりセクターの端面に装着した請求項１又は請求項２に記載のタイヤ用金型。
【請求項４】
空気入りタイヤのトレッド部と両ショルダー部を一体的に成形する複数のセクターを備えたタイヤ用金型を製造する方法において、これらセクターの端面を平面に加工した後、隣り合う一対のセクターのうち、一方のセクターの端面にトレッド成形面の一部を構成するピースを装着し、他方のセクターの端面に前記ピースに整合する欠落部を形成し、前記ピースの装着により前記一対のセクターの割り位置をタイヤ幅方向の延長成分を有する溝を避けた位置に変更するタイヤ用金型の製造方法。
【請求項５】
前記ピースの前記欠落部との接触面が曲面を含む形状を有する請求項４に記載のタイヤ用金型の製造方法。
【請求項６】
前記ピースをボルト締め、溶接又は接着によりセクターの端面に装着する請求項４又は請求項５に記載のタイヤ用金型の製造方法。
【発明の詳細な説明】
【技術分野】
【０００１】
本発明は、複数のセクターを備えた分割タイプのタイヤ用金型及びその製造方法に関し、さらに詳しくは、セクターの割り位置を適正化することでオーバーフロー故障を防止すると共に、その割り位置を適正化する際の加工を容易にしたタイヤ用金型及びその製造方法に関する。
【背景技術】
【０００２】
空気入りタイヤを製造するための金型は、大別して２つ割りタイプと分割タイプとに分類される。分割タイプのタイヤ用金型は、通常、サイドウォール部を成形する一対のサイドプレートと、ビード部を成形する一対のビードリングと、トレッド部と両ショルダー部を一体的に成形する複数のセクターとを備えている。ここで、セクターの端面はタイヤ周方向と直交する平面にするのが一般的である。これは、タイヤの加硫の際にセクター間の微小な隙間にゴムが入り込み、特に溝底部分においてゴムのオーバーフローが発生し易いため、セクターの端面が溝部をできるだけ最短距離で横切るようにするからである。
【０００３】
これに対して、近年ではタイヤのトレッドデザインが多様化し、タイヤ周方向に対して斜め方向の溝を多用したものが増えている。このような斜め方向の溝を含むトレッドデザインでは、セクターの端面をタイヤ周方向と直交する平面にすると、例えば、タイヤショルダー部付近でセクターの端面が溝を斜めに横切ることになり、オーバーフロー故障を生じ易くなる。そこで、セクターの端面をジグザグ形や波形等の非平面形状に加工し、それによってセクターの端面が溝を斜めに横切るのを回避することが行われている（例えば、特許文献１及び特許文献２参照）。
【０００４】
しかしながら、セクターの端面を全域にわたってジグザグ形や波形等の非平面形状に加工することは極めて困難であり、その結果、金型製作に要する時間が長くなり、金型の製造コストが高くなるという問題がある。
【特許文献１】特公平１−２９６８６号公報
【特許文献２】特開平４−３４１８０６号公報
【発明の開示】
【発明が解決しようとする課題】
【０００５】
本発明の目的は、セクターの割り位置を適正化することでオーバーフロー故障を防止すると共に、その割り位置を適正化する際の加工を容易にしたタイヤ用金型及びその製造方法を提供することにある。
【課題を解決するための手段】
【０００６】
上記目的を解決するための本発明のタイヤ用金型は、空気入りタイヤのトレッド部と両ショルダー部を一体的に成形する複数のセクターを備えたタイヤ用金型において、隣り合う一対のセクターのうち、一方のセクターの端面にトレッド成形面の一部を構成するピースを装着し、他方のセクターの端面に前記ピースに整合する欠落部を形成し、前記ピースの装着により前記一対のセクターの割り位置をタイヤ幅方向の延長成分を有する溝を避けた位置に変更したことを特徴とするものである。
【０００７】
また、上記目的を解決するための本発明のタイヤ用金型の製造方法は、空気入りタイヤのトレッド部と両ショルダー部を一体的に成形する複数のセクターを備えたタイヤ用金型を製造する方法において、これらセクターの端面を平面に加工した後、隣り合う一対のセクターのうち、一方のセクターの端面にトレッド成形面の一部を構成するピースを装着し、他方のセクターの端面に前記ピースに整合する欠落部を形成し、前記ピースの装着により前記一対のセクターの割り位置をタイヤ幅方向の延長成分を有する溝を避けた位置に変更することを特徴とするものである。
【発明の効果】
【０００８】
本発明によれば、一方のセクターの端面にトレッド成形面の一部を構成するピースを装着し、他方のセクターの端面にピースに整合する欠落部を形成し、そのピースの装着によりセクターの割り位置をラグ溝やスラント溝のようにタイヤ幅方向の延長成分を有する溝を避けた位置に変更することにより、オーバーフロー故障を防止することができる。しかも、本発明ではピース及び欠落部を加工するだけであるため、セクターの端面を全域にわたってジグザグ形や波形等の非平面形状に加工する場合に比べて、その加工作業が容易である。従って、金型製作に要する時間を短縮し、金型の製造コストを低減することができる。また、必要に応じてセクターの割り位置を任意に変更することが可能であるので、より複雑なトレッドデザインを選択することができる。
【０００９】
本発明では、ピースの欠落部との接触面が曲面を含む形状を有していても良い。セクターの端面に曲面を加工することは困難であるが、例えばショルダー部に対応するような小型のピースであれば曲面加工が容易である。また、ピースはボルト締め、溶接又は接着等の手段によりセクターの端面に装着すれば良い。
【発明を実施するための最良の形態】
【００１０】
以下、本発明の構成について添付の図面を参照して詳細に説明する。
【００１１】
図１は本発明は実施形態からなるタイヤ用金型を示し、図２〜図４はその要部を示すものである。本実施形態のタイヤ用金型は、図１に示すように、空気入りタイヤＴのサイドウォール部を成形する一対のサイドプレート１，２と、ビード部を成形する一対のビードリング３，４と、トレッド部と両ショルダー部を一体的に成形する複数のセクター５とを備えている。これらセクター５は、空気入りタイヤＴのトレッド部の周囲に環状に配置されている。
【００１２】
図２は、複数のセクター５のうち、隣り合う一対のセクター５Ａ，５Ｂを示している。これらセクター５Ａ，５Ｂを含む複数のセクター５のトレッド成形面５１には、タイヤ周方向に延びる主溝を成形するための主溝成形骨５２と、ショルダー部においてタイヤ幅方向に延びるラグ溝を成形するためのラグ溝成形骨５３と、ショルダー部及びセンター部においてタイヤ周方向に対して傾斜するスラント溝を成形するためのスラント溝成形骨５４とが形成されている。
【００１３】
図２に示すように、一方のセクター５Ａの端面５５Ａには、ショルダー部においてトレッド成形面５１の一部を構成するピース６が装着されている。また、他方のセクター５Ｂの端面５５Ｂには、ピース６に整合する欠落部７が形成されている。このピース６の装着により、セクター５Ａ，５Ｂの割り位置がスラント溝（タイヤ幅方向の延長成分を有する溝）を避けた位置に変更されている。つまり、セクター５Ａ，５Ｂの元々の割り位置は端面５５Ａ，５５Ｂによって直線的に規定されているが、その場合、割り位置がスラント溝成形骨５４を斜めに横切ることになる。そこで、分断されたスラント溝成形骨５４の一部を補うようなピース６をセクター５Ａの端面５５Ａに装着し、セクター５Ａ，５Ｂの割り位置がスラント溝成形骨５４を斜めに横切ることを回避している。勿論、セクター５Ｂの端面５５Ｂには欠落部７を設けてあるので、セクター５Ａ，５Ｂが互いに干渉することはない。
【００１４】
次に、上記タイヤ用金型の製造方法について説明する。先ず、セクター５Ａ，５Ｂを含む複数のセクター５を鋳造し、各セクター５の端面をタイヤ周方向と直交する平面に加工する。次いで、図３に示すように、セクター５Ａについては端面５５Ａのピース取り付け位置に座繰り部８及びボルト孔９を形成し、セクター５Ｂについては切削等によりピース６と同じ形状の欠落部７を加工し、更には装着すべきピース６を加工する。
【００１５】
ピース６は、他のセクターから切り出したものであっても良く、専用に鋳造したものであっても良い。また、ピース６はセクター５と同一材質であっても良く、硬度が異なる異種材質であっても良い。そして、図３に示すように、ピース６には座繰り部８に挿入されるプラットホーム１０と、ボルト孔９に連通するボルト孔１１とを形成する。図４において、ピース６はボルト孔９，１１に不図示のボルトを挿入し、そのボルトを締め付けることで装着可能であるが、それ以外に溶接や接着等によりセクター５Ａの端面５５Ａに接合しても良い。これらピース６のセクター５Ａとの接触面は凹凸が無いように仕上げて、その密着性を高めることが好ましい。一方、ピース６の欠落部７との接触面は曲面にしても良い。つまり、ピース６はセクター５Ａに比べて加工面積が少ないので、その曲面加工が容易である。
【００１６】
上述したタイヤ用金型を用いて空気入りタイヤを加硫する場合、未加硫の空気入りタイヤＴを金型内に挿入して加硫を行う。加硫時にはセクター間の微小な隙間にゴムが入り込むが、上記タイヤ用金型ではセクター５Ａ，５Ｂの割り位置をスラント溝を避けた位置に変更し、その割り位置を適正化しているので、オーバーフロー故障を防止することができる。
【００１７】
上記実施形態によれば、ピース６及び欠落部７を加工するだけであるため、セクター５Ａ，５Ｂの端面５５Ａ，５５Ｂを全域にわたってジグザグ形や波形等の非平面形状に加工する場合に比べて、その加工作業が容易である。従って、金型製作に要する時間を短縮し、金型の製造コストを低減することができる。また、ピース６及び欠落部７の形状に基づいてセクター５Ａ，５Ｂの割り位置を任意に変更することが可能であるので、より複雑なトレッドデザインを選択することができる。
【００１８】
上述した実施形態では、セクター５Ａ，５Ｂの割り位置をスラント溝を避けた位置に変更した場合について説明したが、本発明ではスラント溝に限らずタイヤ幅方向の延長成分を有する溝を避けるためにセクター５Ａ，５Ｂの割り位置を変更することができる。
【００１９】
また、上述した実施形態では隣り合う一対のセクター５Ａ，５Ｂを抽出し、これらセクター５Ａ，５Ｂについて説明したが、勿論、本発明では全てのセクター５にピース６及び欠落部７を設けることが可能である。
【図面の簡単な説明】
【００２０】
【図１】本発明の実施形態からなるタイヤ用金型を示す断面図である。
【図２】図１のタイヤ用金型において隣り合う一対のセクターをトレッド成形面側から示す平面図である。
【図３】セクターとその端面に装着されるピースを示す斜視図である。
【図４】セクターにピースを装着した状態を示す斜視図である。
【符号の説明】
【００２１】
１，２  サイドプレート
３，４  ビードリング
５，５Ａ，５Ｂ  セクター
６  ピース
７  欠落部
８  座繰り部
９，１１  ボルト孔
１０  プラットホーム
５１  トレッド成形面
５２  主溝成形骨
５３  ラグ溝成形骨
５４  スラント溝成形骨
５５Ａ，５５Ｂ  端面
Ｔ  空気入りタイヤ
【図１】
2005178121.tif 000003
【図２】
2005178121.tif 000004
【図３】
2005178121.tif 000005
【図４】
2005178121.tif 000006